(57)【要約】【課題】  電動弁のキャンに発生する共鳴の防止を図る。【解決手段】  電動弁１は、弁座１２と弁室１４を有する弁本体１０を備え、弁室１４内に弁体３０が配設される。弁体３０を操作する弁棒４０は、ベローズ５０でシールされる。ねじ棒７０は、案内部材６０に螺合し、回転運動を直線運動に変換する。電動モータと歯車減速装置は、金属製の円筒形状のキャン２００内に装備され、プレート９０とシール部材８０によりキャン内に封止される。キャン２００の円盤状の上面２２０には、中心から放射方向に延びる複数本のリブ２３０が形成される。リブ２３０により上面２２０の剛性を向上し、共振による共鳴を防止する。【選択図】        図１
2006132631.tif 000002
【特許請求の範囲】
【請求項１】
弁室と弁座を有する弁本体と、弁本体内に装備される弁体と、弁体を操作する弁棒と、回転運動を直線運動に変換するねじ部材と、電動モータと、電動モータの出力を減速してねじ部材に伝達する歯車減速装置を備えた電動弁にあって、
電動モータと歯車減速装置を収容する金属製の円筒形状のキャンと、キャンの開口部を封止する封止部材を備え、
キャンの円盤状の上面に中心から放射方向に延びる凸状のリブを備える電動弁。
【請求項２】
リブは、５本以上の奇数本で構成される請求項１記載の電動弁。
【請求項３】
リブの平面形状は、内周部から外周部に向けて幅寸法が大きくなる略三角形状である請求項１記載の電動弁。
【請求項４】
リブは、放射方向に延びる主リブと、主リブから枝分かれする副リブで構成される請求項１記載の電動弁。
【発明の詳細な説明】
【技術分野】
【０００１】
本発明は、電動弁、特にモータと歯車減速装置を円筒状のキャン内に装備する電動弁の改良に関する。
【背景技術】
【０００２】
弁室と弁座を有する弁本体内に弁体を配置し、弁体を操作する弁棒をベローズ内に配設して冷媒と弁棒の間をシールする構造の電動弁は、本出願人に係る下記の特許文献に開示されている。
この種の電動弁にあっては、電動モータと歯車減速装置をキャンと称する金属製の円筒状の部材の内に封止して、外部からの湿気の浸入等を防止している。歯車減速装置の回転出力は、ねじ機構により直線運動に変換され、弁棒に伝達される。
【特許文献１】特開平１１−８２７９６号公報
【発明の開示】
【発明が解決しようとする課題】
【０００３】
この種の電動弁は、円筒状のキャン内にモータと歯車減速装置が封入されるために、回転部分の振動がキャンに伝達され、共振を発生させ易い。又、液冷媒の流動による振動がキャンに伝達し、それが共振を生じさせることもある。
特にキャンの上面は、平面のために太鼓と同様に作用して、振動、騒音の発生源となる。
本発明の目的は、上述した不具合を解消する電動弁を提供するものである。
【課題を解決するための手段】
【０００４】
上記目的を達成するために、本発明の電動弁は、電動モータと歯車減速装置を収容する金属製の円筒形状のキャンと、キャンの開口部を封止する封止部材を備え、キャンの円盤状の上面に中心から放射方向に延びる凸状のリブを備えるものである。
そして、リブは、５本以上の奇数本で構成される。
【発明の効果】
【０００５】
本発明の電動弁は、上述した構成を備えることにより、キャン上面の剛性を向上して共振発生を防止することができる。
【発明を実施するための最良の形態】
【０００６】
図１は、本発明の電動弁の構造を示す説明図である。
全体を符号１で示す電動弁は、弁座１２と弁室１４を有する弁本体１０を有し、弁室１４に通ずる２本の配管２０，２２が接続される弁室１４に挿入される弁体３０は、弁座１２に対向して流路面積を変化させる。
【０００７】
弁本体１０の弁室１４に連通する内径部１６には、ベローズ５０と、ベローズ５０の内側に挿入される弁棒４０が配設される。ベローズ５０の下端部は、弁棒４０に固定され、ベローズ５０の上端部はリング部材５２を介して弁本体１０に固定される。
弁本体１０の上部には、内ねじ部６２を有する案内部材６０が配設され、袋ナット６４で弁本体１０に固着される。
【０００８】
案内部材６０の内ねじ部６２に螺合する外ねじ部７２を有するねじ棒７０の下端部はボール４４を介して弁棒４０の上部の伝達部材４２を押圧し、弁棒４０を軸方向に移動させる。
案内部材６０の上部は、シール部材８０、プレート９０が配設され、例えばカシメ手段により固着される。
【０００９】
プレート９０上にはベース１００が載置され、外周を覆うキャン２００のフランジ部２１０の下端部をカシメ加工することにより、キャン２００内に固定される。
ベース１００の上部には、ステータとその励磁コイルからなる励磁装置１１０が載置され、リード線１５０を介して給電される。励磁装置１１０の内側に配設されるロータ１２０は、励磁装置１１０に与えられるパルス電流により駆動される。ロータ１２０一体のピニオン１２４は、ギヤ１３０の大歯車３０ａを駆動し、大歯車１３０ａと一体の小歯車１３０ｂは、ギヤ１３１の大歯車１３１ａを駆動し、大歯車１３１ａと一体の小歯車１３１ｂはねじ棒７０と一体のギヤ１４０を駆動する。
【００１０】
以上の構成により、電動モータの出力は減速されてねじ棒７０に伝達される。ねじ棒７０は与えられた回転に応じて、ねじ機構により直線移動に変換され、弁棒４０を介して弁体３０を変位させる。
弁体３０とオリフィス１２の間に形成される流路面積に応じて弁室１４を通過する流体の流量が制御される。
【００１１】
キャン２００の内部には、モータが配設され、ロータ１２０はパルス運転を行なう。このロータのパルス運転により発生する振動は、円筒状のキャン２００に伝達され、キャン２００の上面２２０を共振させ、共鳴による騒音の発生源となる。
【００１２】
図２は、本発明の電動弁に装備されるキャン２００の外観を示す斜視図である。
金属材料を円筒形状に加工してつくられる。キャン２００の下縁部には、フランジ部２１０が形成され、シール部材８０、プレート９０の外縁部と一体にカシメ加工される。
【００１３】
キャン２００の円盤状の上面２２０は、中心から放射方向に延びる複数本のリブ２３０が設けられる。この凸状のリブ２３０は、キャン２００をプレス加工する際に一体に形成することができる。
キャン２００の上面２２０にリブ２３０を形成することにより、上面２２０の剛性は強化され、共振による共鳴音の発生を防止することができる。
【００１４】
この放射方向のリブ２３０は、キャップ上面に５本以上でかつ奇数本設けることが望ましい。
図示の実施例にあっては、７本のリブ２３０が設けられている。
【００１５】
図３は、本発明のキャンの他の実施例を示す。
本実施例においては、キャン３００の上面に、内周部は幅寸法が小さく、外周部にいくにつれ幅寸法が大きくなる図示のような三角形状のリブ３１０を形成してある。
リブ３１０の面積を大きくとることにより、剛性の向上を図ることができる。
【００１６】
図４は、本発明のキャンの更に他の実施例を示す。
本実施例においては、キャン４００の上面に放射方向の主リブ４１０と、各主リブ４１０から枝分かれする副リブ４２０を形成してある。
リブの本数を多くすることにより、剛性の向上を図ることができる。
【００１７】
本発明の電動弁にあっては以上のように、パルスモータと減速歯車機構が内装される金属製のキャンの上面の剛性を向上し、回転部分との共振による共鳴音の発生を防止することができる。
剛性向上用のリブは、キャンの加工時に一体に成形することができるので、工数等を増加させることなく設けることができる。
【図面の簡単な説明】
【００１８】
【図１】本発明の電動弁の説明図。
【図２】本発明の電動弁のキャンの斜視図。
【図３】本発明のキャンの他の実施例を示す図。
【図４】本発明のキャンの更に他の実施例を示す図。
【符号の説明】
【００１９】
１  電動弁
１０  弁本体
１２  弁座
１４  弁室
３０  弁体
４０  弁棒
５０  ベローズ
６０  ねじ棒案内部材
７０  ねじ棒
８０  シール材
９０  プレート
１００  ベース
１１０  励磁装置
１２０  ロータ
２００  キャン
２１０  フランジ
２２０  上面
２３０  リブ
【図１】
2006132631.tif 000003
【図２】
2006132631.tif 000004
【図３】
2006132631.tif 000005
【図４】
2006132631.tif 000006
【手続補正書】
【提出日】平成16年12月10日(2004.12.10)
【手続補正１】
【補正対象書類名】図面
【補正対象項目名】図１
【補正方法】変更
【補正の内容】
【図１】
2006132631.tif 000007